Podtech/llm-jp-corpus-v4-ja_patent huggingface dataset:
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
カードの主面に形成されたエンボス加工、ホログラム及びマイクロ文字の少なくとも一つを検出する検出手段と、
前記カードの主面及び裏面の少なくとも一つに設けられた磁気コードを読み取る磁気コード読取手段と、
前記検出手段及び前記磁気コード読取手段により検出されたデータに基づき前記カードが偽造か否かを判定する偽造判定手段と、
前記偽造判定手段による判定結果を出力する出力手段と、
異常が発生したことを検知した場合、又は機能停止要求データを受信した場合に、前記検出手段、前記磁気コード読取手段、前記偽造判定手段としての機能の少なくとも一つを停止させる機能停止制御手段と、
プロセッサと、
前記プロセッサにより書換不能であって、偽造判定プログラム、機能停止制御プログラム、及び端末ＩＤを格納した書換不能記録媒体と
からなる端末と、
前記出力手段から出力された判定結果が偽造であることを特定する情報である場合に、該判定結果を出力して出力先に前記端末の警備を促す偽造通知手段を備えたサーバとを備え、
前記端末は、前記書換不能記録媒体に格納された偽造判定プログラム及び機能停止制御プログラムが前記プロセッサによって読み出されることにより前記偽造判定手段及び前記機能停止制御手段として機能し、前記機能停止制御手段は、前記書換不能記録媒体から前記端末ＩＤを読み出し、読み出した端末ＩＤを前記サーバに送信して異常の発生の有無の判定を促すとともに、前記サーバから機能停止要求データを受信した場合に前記偽造判定手段及び前記機能停止制御手段としての機能を停止させる偽造カード判別システム。
【請求項２】
カードの主面に形成されたエンボス加工、ホログラム及びマイクロ文字の少なくとも一つを検出する検出手段と、
前記カードの主面及び裏面の少なくとも一つに設けられた磁気コードを読み取る磁気コード読取手段と、
前記検出手段及び前記磁気コード読取手段により検出されたデータに基づき前記カードが偽造か否かを判定する偽造判定手段と、
前記偽造判定手段による判定結果を出力する出力手段と、
異常が発生したことを検知した場合、又は機能停止要求データを受信した場合に、前記検出手段、前記磁気コード読取手段、前記偽造判定手段としての機能の少なくとも一つを停止させる機能停止制御手段と、
偽造判定プログラム、出力プログラム、及び機能停止制御プログラムを格納した記憶手段と、
プログラム消去手段と、
プロセッサと
からなる端末と、
前記出力手段から出力された判定結果が偽造であることを特定する情報である場合に、該判定結果を出力して出力先に前記端末の警備を促す偽造通知手段を備えたサーバとを備え、
前記端末は、前記記憶手段に格納された偽造判定プログラム、出力プログラム、及び機能停止制御プログラムが前記プロセッサによって読み出されることにより前記偽造判定手段、前記出力手段、及び前記機能停止制御手段として機能し、前記機能停止制御手段が、異常が発生したことを検知した場合、又は機能停止要求データを受信した場合には、前記プログラム消去手段が、前記記憶手段に格納された偽造判定プログラム、出力プログラム、及び機能停止制御プログラムを消去する偽造カード判別システム。
【請求項３】
請求項１または請求項２に記載の偽造カード判別システムにおいて、
前記偽造判定手段は、前記偽造判定プログラムを、前記サーバから取得するようにした偽造カード判別システム。
【請求項４】
請求項１乃至３のうちいずれか１項に記載の偽造カード判別システムにおいて、
前記端末は、前記端末の電源のオンオフを検知する電源検知センサを備え、
前記機能停止制御手段は、前記電源検知センサが電源のオフを検知した場合に、前記検出手段、前記磁気コード読取手段、及び前記偽造判定手段としての機能の少なくとも一つを停止させる偽造カード判別システム。
【請求項５】
請求項１乃至４のうち何れか１項に記載の偽造カード判別システムにおいて、
前記端末は、端末本体と、該端末本体を覆う本体カバーと、前記本体カバーの開閉を検知するカバー検知センサとを備え、
前記機能停止制御手段は、前記カバー検知センサが、前記本体カバーが前記端末本体から取り外されたことを検知した場合に、前記検出手段、前記磁気コード読取手段、前記偽造判定手段としての機能の少なくとも一つを停止させる偽造カード判別システム。
【請求項６】
前記端末はＰＯＳ端末との通信手段を有する請求項１乃至５のうち何れか１項に記載の偽造カード判別システム。
【手続補正２】
【補正対象書類名】明細書
【補正対象項目名】０００１
【補正方法】変更
【補正の内容】
【０００１】
本発明は、クレジットカードなどのカードの偽造判定を防止するための偽造カード判別システムに関する。
【手続補正３】
【補正対象書類名】明細書
【補正対象項目名】０００６
【補正方法】変更
【補正の内容】
【０００６】
すなわち、本発明の第一の局面である偽造カード判別システムは、端末とサーバとを備えてなる。そして、端末は、カードの主面に形成されたエンボス加工、ホログラム及びマイクロ文字の少なくとも一つを検出する検出手段と、カードの主面及び裏面の少なくとも一つに設けられた磁気コードを読み取る磁気コード読取手段と、検出手段及び磁気コード読取手段により検出されたデータに基づきカードが偽造か否かを判定する偽造判定手段と、偽造判定手段による判定結果を出力する出力手段と、異常が発生したことを検知した場合、又は機能停止要求データを受信した場合に、検出手段、磁気コード読取手段、偽造判定手段としての機能の少なくとも一つを停止させる機能停止制御手段と、プロセッサと、プロセッサにより書換不能であって、偽造判定プログラム、機能停止制御プログラム、及び端末ＩＤを格納した書換不能記録媒体とを備える。また、サーバは、出力手段から出力された判定結果が偽造であることを特定する情報である場合に、該判定結果を出力して出力先に前記端末の警備を促す偽造通知手段を備えてなる。
【手続補正４】
【補正対象書類名】明細書
【補正対象項目名】０００９
【補正方法】変更
【補正の内容】
【０００９】
また、本発明の第２の局面である偽造カード判別システムは、端末と、サーバとを備えてなる。この端末は、カードの主面に形成されたエンボス加工、ホログラム及びマイクロ文字の少なくとも一つを検出する検出手段と、カードの主面及び裏面の少なくとも一つに設けられた磁気コードを読み取る磁気コード読取手段と、検出手段及び磁気コード読取手段により検出されたデータに基づきカードが偽造か否かを判定する偽造判定手段と、偽造判定手段による判定結果を出力する出力手段と、異常が発生したことを検知した場合、又は機能停止要求データを受信した場合に、検出手段、磁気コード読取手段、偽造判定手段としての機能の少なくとも一つを停止させる機能停止制御手段と、偽造判定プログラム、出力プログラム、及び機能停止制御プログラムを格納した記憶手段と、プログラム消去手段と、プロセッサとを備えてなる。一方、サーバは、出力手段から出力された判定結果が偽造であることを特定する情報である場合に、該判定結果を出力して出力先に前記端末の警備を促す偽造通知手段を備えてなる。
【手続補正書】
【提出日】平成17年4月30日(2005.4.30)
【手続補正１】
【補正対象書類名】特許請求の範囲
【補正対象項目名】全文
【補正方法】変更
【補正の内容】
【特許請求の範囲】
【請求項１】
広告宣伝用のパース画に於いて、住宅を表現構成し、該表現構成した一部分を、該一部分の構成内容が色合いや形、素材などによって分かるようにした上でバーチャル表現し、該一部分に隠されている部分が、視覚的に描出されるようにし、該住宅の様子を正確に伝える該広告宣伝の目的に沿うようにした事を特徴とする広告宣伝用のパース画
【請求項２】
住宅用の鳥瞰図、見上げ図、住戸内鳥瞰図などのパース画に於いて、壁や扉、襖、障子、曇りガラス、など不透明な素材で構成される空間仕切部材を、半透明で描き、該空間仕切部材によって、本来、遮られる空間を透過して見えるようにし、該空間の広さや大きさや特徴が略正確に見えるようにした住宅広告宣伝用のパース画
【請求項３】
前記半透明の描出方法として、前記空間仕切部材全体を、光透過型に描出し、半透明化したことを特徴とする請求項２に示した住宅広告宣伝用のパース画
【請求項４】
前記半透明に描出するに当たって、同一の前記空間仕切部材に於いても透明度の度合いに変化をつけたことを特徴とする、請求項２に示した住宅広告宣伝用のパース画
【請求項５】
前記半透明の描出方法として、前記空間仕切部材を、複数の部分に区分けし、略１００％光透過する部分と、光不透過する部分とを作り、全体として前記半透明を実現した請求項２に示した住宅広告宣伝用のパース画
【請求項６】
前記遮られる空間の境界域を、該境界域以外の部分よりよく見えるように、前記空間仕切部材の透過度に変化をつけ、該遮られる空間の広さや大きさが略正確に見えるようにしたことを特徴とする請求項４に示した住宅広告宣伝用のパース画
【請求項７】
請求項１から請求項７に示したパース画を用いたことを特徴とする住宅広告宣伝媒体
【請求項８】
前記パース画は、コンピュータグラフィックによって、作成した事を特徴とする請求項１から請求項６に示した住宅広告宣伝用のパース画
【請求項９】
前記パース画は、コンピュータグラフィックによって、３Ｄ画像として作成し、同一の静止位置から前記空間仕切部材と、その他の表現部分との二つの２次元画像に分け、前記空間仕切部材の透過度に変化をつけた上で、該二つの２次元画像を合成し、３Ｄ画像として作成する請求項２から請求項６に示した住宅宣伝用のパース画の作成方法
【手続補正書】
【提出日】平成16年3月10日(2004.3.10)
【手続補正１】
【補正対象書類名】明細書
【補正対象項目名】特許請求の範囲
【補正方法】変更
【補正の内容】
【特許請求の範囲】
【請求項１】
前端部が車体フレームへ回動自在に支持され後端部で後輪を支持する鞍乗り式車両用リヤスイングアームの構造において、
前記リヤスイングアームは軽合金を用いて全体が鋳造により一体に形成されるものであって、
その内部に肉抜き空間を設けるとともに、当該肉抜き空間の周囲のうち左右は滑らかに連続的に変化する曲線で構成されることを特徴とする鞍乗り型車両用リヤスイングアームの構造。
【請求項２】
前記リヤスイングアームが４輪バギー車用であることを特徴とする請求項１に記載した鞍乗り式車両用リヤスイングアームの構造。
【請求項３】
前記リヤスイングアームは前記肉抜き空間の後方に位置する後側クロス部及び前記肉抜き空間の左右に位置するアーム部とを備え、当該後側クロス部とアーム部の内部空間は外部へ連通した開放空間になっていることを特徴とする請求項１に記載した鞍乗り型車両用リヤスイングアームの構造。
【請求項４】
前記後側クロス部は、その後端部に車軸ホルダを一体に形成してあり、この車軸ホルダは略円筒形に左右方向へ後側クロス部を貫通して形成されることを特徴とする請求項３に記載した鞍乗り型車両用リヤスイングアームの構造。
【請求項５】
前記リヤスイングアームは前端に左右ピボット部を備え、当該左右ピボット部を連結し、後方へ突出する面内に砂抜き穴を設けることを特徴とする請求項１に記載した鞍乗り型車両用リヤスイングアームの構造。
【請求項６】
前記砂抜き穴は前記後方へ突出する面の左右２箇所に設けられることを特徴とする請求項５に記載された鞍乗り型車両用リヤスイングアームの構造。
【請求項７】
前記肉抜き空間内にリアクッションを貫通させることを特徴とする請求項１に記載された鞍乗り型車両用リヤスイングアームの構造。
【請求項８】
前記リアクッションと前記リヤスイングアームはスイングアーム下方に設けられるリンク部材を介して接続されることを特徴とする請求項７に記載した鞍乗り型車両用リヤスイングアームの構造。
【手続補正２】
【補正対象書類名】明細書
【補正対象項目名】０００６
【補正方法】変更
【補正の内容】
【０００６】
【課題を解決するための手段】
上記課題を解決するため本願発明に係る鞍乗り式車両用リヤスイングアームの構造は、前端部が車体フレームへ回動自在に支持され後端部で後輪を支持する鞍乗り式車両用リヤスイングアームの構造において、
前記リヤスイングアームは軽合金を用いて全体が鋳造により一体に形成されるものであって、その内部に肉抜き空間を設けるとともに、当該肉抜き空間の周囲のうち左右は滑らかに連続的に変化する曲線で構成されることを特徴とする。
【手続補正３】
【補正対象書類名】明細書
【補正対象項目名】０００８
【補正方法】変更
【補正の内容】
【０００８】
【発明の効果】
リヤスイングアームは、全体を軽合金を用いて鋳造により形成するとともに、内部に肉抜き空間を設け、当該肉抜き空間の周囲のうち左右を滑らかに連続的に変化する曲線で構成した。
【手続補正４】
【補正対象書類名】明細書
【補正対象項目名】０００９
【補正方法】変更
【補正の内容】
【０００９】
このため、応力の集中を避けて要求される剛性を確保しつつ軽量化に貢献できる。また、リヤスイングアームにおけるアーム部の断面積を実際に要求されている剛性の分布に応じて変化させることができ、従来のような押し出し成形等によるパイプ部材では困難であった断面積変化を容易に実現できる。


【手続補正５】
【補正対象書類名】明細書
【補正対象項目名】００１１
【補正方法】変更
【補正の内容】
【００１１】
さらに、鋳造により全体を一体に形成したので、前後のクロス部と左右のアーム部を別体に形成し、これらを溶接して一体化する従来例のような溶接作業が不要になる。また、肉抜き空間の周囲のうち左右を滑らかに連続的に変化する曲線で構成することにより、アーム部を中空に成形するときの砂抜きを容易にできる。その結果、リヤスイングアームの製造を容易にし、かつ成形性を向上させることができる。
【手続補正書】
【提出日】平成17年10月5日(2005.10.5)
【手続補正１】
【補正対象書類名】明細書
【補正対象項目名】００２４
【補正方法】変更
【補正の内容】
【００２４】
図１は、自動車１の後部を示す要部斜視図であって、図２は図１のＩ−Ｉ線断面図、図３は図１のＩＩ−ＩＩ線断面図、図４に図１のＩＩＩ−ＩＩＩ線断面図を示し、図５はパネルサイドアウタを省略した図１のＡ部側面図、図６は図５の要部分解斜視図であり、図７は図１のＩＶ−ＩＶ線断面図である。
【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
内周面又は外周面に、長さ方向に延びる複数個の凸条（２）が周方向に間隔をおいて設けられていることを特徴とする衝撃吸収用押出円筒パイプ材。
【請求項２】
凸条が設けられている周面の円周長さに対する１個当たりの凸条の幅（ｗ）が、０％を越え２５％未満であり、かつ凸条の高さ（ｈ）が、０．５ｍｍからパイプ材の肉厚までの範囲内にある請求項１記載の衝撃吸収用押出円筒パイプ材。
【請求項３】
凸条の個数が４個以上でかつ偶数個であり、かつこれら凸条がパイプ材の軸線を対称軸とする回転対称の位置にある請求項１又は２記載の衝撃吸収用押出円筒パイプ材。
【請求項４】
凸条の断面形状が三角形状である請求項１〜３のいずれか１項記載の衝撃吸収用押出円筒パイプ材。
【請求項５】
アルミニウムからなる請求項１〜４のいずれか１項記載の衝撃吸収用押出円筒パイプ材。
【請求項６】
自動車のフレームに用いられる請求項１〜５のいずれか１項記載の衝撃吸収用押出円筒パイプ材。
【請求項７】
円筒パイプ材と、該パイプ材の内周面又は外周面に、長さ方向に延びるとともに周方向に間隔をおいて設けられる複数個の凸条とを一体に押出製造することを特徴とする衝撃吸収用押出円筒パイプ材の製造方法。
【手続補正２】
【補正対象書類名】明細書
【補正対象項目名】０００５
【補正方法】変更
【補正の内容】
【０００５】
このような荷重−変位特性を示す角筒パイプ材を衝撃吸収材として用いる場合には、同図（ｂ）に示すように、座屈初期に生じる最大荷重（矢印イ）を下げるとともに、平均荷重（ロ線）を上げることが要求される。
【手続補正書】
【提出日】平成16年4月13日(2004.4.13)
【手続補正１】
【補正対象書類名】明細書
【補正対象項目名】請求項１
【補正方法】変更
【補正の内容】
【請求項１】
把手組込部を有する第１及び第２の半割り型からなり、上記第１の半割り型の把手組込部に把手を組み込み、有底パリソンを挿入し、上記第１及び第２の半割り型を重ね合わせて延伸ブロー成形を行うことにより、把手付きボトルを製造するために使用される把手付きボトル成形用金型において、
上記把手が組み込まれる第１の半割り型の把手組込部の外側に、把手を内側に押すための把手押圧装置を取り付けたことを特徴とする把手付きボトル成形用金型。
【手続補正２】
【補正対象書類名】明細書
【補正対象項目名】０００７
【補正方法】変更
【補正の内容】
【０００７】
【課題を解決するための手段】
上記の課題を解決するため、この発明は、把手組込部を有する第１及び第２の半割り型からなり、上記第１の半割り型の把手組込部に把手を組み込み、有底パリソンを挿入し、上記第１及び第２の半割り型を重ね合わせて延伸ブロー成形を行うことにより、把手付きボトルを製造するために使用される把手付きボトル成形用金型において、上記把手が組み込まれる第１の半割り型の把手組込部の外側に、把手を内側に押すための把手押圧装置を取り付けたことを特徴とする。
【手続補正書】
【提出日】平成17年10月14日(2005.10.14)
【手続補正１】
【補正対象書類名】明細書
【補正対象項目名】請求項１
【補正方法】変更
【補正の内容】
【請求項１】
シート供給装置から印刷装置へシートを移送するフィーダボードの下流側に配設され、シートの横幅方向の見当合わせを行う枚葉印刷機の横針装置において、シート横幅方向両側に設備されており、シートの横幅方向へ往復動するスライダと、面対称に対向して配設される一対のカムと、該カムの曲面に係合する作動部材を介して前記スライダを作動させる駆動機構とを備え、前記作動部材と前記駆動機構との間に介在させる付勢手段を配設し、前記駆動機構にて前記付勢手段の作用方向を切り替え、前記作動部材が係合するカムを選択することによってシートの移送方向を変更し得るように構成したことを特徴とする枚葉印刷機の横針装置。
【手続補正２】
【補正対象書類名】明細書
【補正対象項目名】０００８
【補正方法】変更
【補正の内容】
【０００８】
【課題を解決するための手段】
上記従来技術の有する課題を解決するために、本発明においては、シート供給装置から印刷装置へシートを移送するフィーダボードの下流側に配設され、シートの横幅方向の見当合わせを行う枚葉印刷機の横針装置において、シート横幅方向両側に設備されており、シートの横幅方向へ往復動するスライダと、面対称に対向して配設される一対のカムと、該カムの曲面に係合する作動部材を介して前記スライダを作動させる駆動機構とを備え、前記作動部材と前記駆動機構との間に介在させる付勢手段を配設し、前記駆動機構にて前記付勢手段の作用方向を切り替え、前記作動部材が係合するカムを選択することによってシートの移送方向を変更し得るように構成している。
【手続補正３】
【補正対象書類名】明細書
【補正対象項目名】００２６
【補正方法】変更
【補正の内容】
【００２６】
【発明の効果】
上述の如く、本発明に係る枚葉印刷機の横針装置は、シート供給装置から印刷装置へシートを移送するフィーダボードの下流側に配設され、シートの横幅方向の見当合わせを行うものであって、シート横幅方向両側に設備されており、シートの横幅方向へ往復動するスライダと、面対称に対向して配設される一対のカムと、該カムの曲面に係合する作動部材を介して前記スライダを作動させる駆動機構とを備え、前記作動部材と前記駆動機構との間に介在させる付勢手段を配設し、前記駆動機構にて前記付勢手段の作用方向を切り替え、前記作動部材が係合するカムを選択することによってシートの移送方向を変更し得るように構成している。
したがって、本発明の横針装置によれば、片方の横針装置のみでシートを引き寄せるか、あるいは両方の横針装置が協働して同方向へシートを引き寄せるかを遠隔操作で容易に切り替えることができ、種々多様な横幅を有するシートの横幅方向の位置決めを迅速かつ確実に行い、生産性の向上とコストダウンを図ることができる。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
インキツボキーを複数備え、これらインキツボキーの開度調整によって刷版へ供給されるインキ供給量を調整し、この刷版に供給されたインキを印刷用紙に印刷する印刷機において、
一定の絵柄を備えた刷版を用いて印刷物を印刷し、
この印刷物の前記各インキツボキーに対応する各エリアの濃度を測定し、
この測定した各エリアの濃度値と予め記憶されている基準濃度値との差に基づいて前記各インキツボキーの原点位置を補正するようにした
ことを特徴とするインキツボキーの原点位置補正方法。
【請求項２】
インキツボキーを複数備え、これらインキツボキーの開度調整によって刷版へ供給されるインキ供給量を調整し、この刷版に供給されたインキを印刷用紙に印刷する印刷機において、
一定の絵柄を備えた刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいて前記各インキツボキーの原点位置を補正する原点位置補正手段と
を備えたことを特徴とするインキツボキーの原点位置補正装置。
【請求項３】
インキツボキーを複数備え、これらインキツボキーの開度調整によって刷版へ供給されるインキ供給量を調整し、この刷版に供給されたインキを印刷用紙に印刷する印刷機において、
一定の絵柄を備えた刷版を用いて印刷物を印刷し、
この印刷物の前記各インキツボキーに対応する各エリアの濃度を測定し、
この測定した各エリアの濃度値と予め記憶されている基準濃度値との差に基づいて前記各インキツボキーの現在位置を補正するようにした
ことを特徴とするインキツボキーの現在位置補正方法。
【請求項４】
インキツボキーを複数備え、これらインキツボキーの開度調整によって刷版へ供給されるインキ供給量を調整し、この刷版に供給されたインキを印刷用紙に印刷する印刷機において、
一定の絵柄を備えた刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいて前記各インキツボキーの現在位置を補正する現在位置補正手段と
を備えたことを特徴とするインキツボキーの現在位置補正装置。
【手続補正２】
【補正対象書類名】明細書
【補正対象項目名】００７７
【補正方法】変更
【補正の内容】
【００７７】
そして、原点位置メモリ２２からインキツボキー４−１〜４−ｎの現在の原点位置を読み出し（ステップ１８０７）、この読み出したインキツボキー４−１〜４−ｎの現在の原点位置をステップ１８０６で求めた原点位置補正量だけ補正し（ステップ１８０８）、補正した原点位置を現在の原点位置として原点位置メモリ２２に書き込む（ステップ１８０９）。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
インクを吐出する複数の吐出口を配列した記録ヘッドを、前記吐出口の配列方向と異なる方向に繰り返し走査して順次バンド単位に画像記録を行うインクジェット記録方法において、
前記記録ヘッドの１回の走査により記録される１バンドの第１ラスタまたは第１ラスタを含む複数ラスタおよび最終ラスタまたは最終ラスタを含む複数ラスタの少なくとも一方を、単位領域毎に２値化画像データの吐出ドットの集合具合により複数種類の状態に分類し、
これらの状態ごとに予め定められた長さのマスクパターンを用いて、各単位領域内のインク吐出量を低減するよう制御することを特徴とするインクジェット記録方法。
【請求項２】
前記複数種類の状態は、単位領域内のドットがすべて吐出ドットである第１の状態、単位領域内に吐出ドットと吐出しないドットが混在する第２の状態、および単位領域内に吐出ドットが全く存在しない第３の状態である請求項１記載のインクジェット記録方法。
【請求項３】
インクを吐出する複数の吐出口を配列した記録ヘッドを、前記吐出口の配列方向と異なる方向に繰り返し走査して順次バンド単位に画像記録を行うインクジェット記録装置において、
前記記録ヘッドの１回の走査により記録される１バンドの第１ラスタまたは第１ラスタを含む複数ラスタおよび最終ラスタまたは最終ラスタを含む複数ラスタの少なくとも一方を、単位領域毎に２値化画像データの吐出ドットの集合具合により複数種類の状態に分類する手段と、
これらの状態ごとに予め定められた長さのマスクパターンを格納した補正テーブルと、
この補正テーブルから各単位領域の状態に応じたマスクパターンを求め、このマスクパターンにより当該単位領域内のインク吐出量を低減するよう制御することを特徴とするインクジェット記録装置。
【請求項４】
前記複数種類の状態は、単位領域内に吐出ドットが所定数連続する第１の状態、単位領域内に吐出ドットが存在するが所定数連続はしない第２の状態、および単位領域内に吐出ドットが全く存在しない第３の状態である請求項３記載のインクジェット記録装置。
【請求項５】
前記補正テーブルは、補正の対象とするインクの色ごとに別個に設けられていることを特徴とする請求項３または４記載のインクジェット記録装置。
【請求項６】
前記補正テーブルは、複数のインク色の単位領域内の状態の組み合わせに応じて、各色用のマスクパターンを定めていることを特徴とする請求項４記載のインクジェット記録装置。
【請求項７】
前記補正テーブルは、少なくとも被記録媒体の種類を含む記録条件に応じて複数設けられ、当該条件に応じて使い分けられる請求項３〜６のいずれかに記載のインクジェット記録装置。
【請求項８】
バンドの第１ラスタまたは第１ラスタを含む複数ラスタおよび最終ラスタまたは最終ラスタを含む複数ラスタをドット間引きの対象とする場合、同じ間引き率のマスクパターンであっても、第１ラスタまたは第１ラスタを含む複数ラスタと最終ラスタまたは最終ラスタを含む複数ラスタとで前記マスクパターンを異ならせることを特徴とする請求項３〜７のいずれかに記載のインクジェット記録装置。
【手続補正２】
【補正対象書類名】明細書
【補正対象項目名】００１１
【補正方法】変更
【補正の内容】
【００１１】
【課題を解決するための手段】
上記目的を達成するため本発明は、インクを吐出する複数の吐出口を配列した記録ヘッドを、前記吐出口の配列方向と異なる方向に繰り返し走査して順次バンド単位に画像記録を行うインクジェット記録方法において、前記記録ヘッドの１回の走査により記録される１バンドの第１ラスタまたは第１ラスタを含む複数ラスタおよび最終ラスタまたは最終ラスタを含む複数ラスタの少なくとも一方を、単位領域毎に２値化画像データの吐出ドットの集合具合により複数種類の状態に分類し、これらの状態ごとに予め定められた長さのマスクパターンを用いて、各単位領域内のインク吐出量を低減するよう制御することを特徴とする。
【手続補正３】
【補正対象書類名】明細書
【補正対象項目名】００１４
【補正方法】変更
【補正の内容】
【００１４】
このような方法を実施するための本発明の装置は、インクを吐出する複数の吐出口を配列した記録ヘッドを、前記吐出口の配列方向と異なる方向に繰り返し走査して順次バンド単位に画像記録を行うインクジェット記録装置において、前記記録ヘッドの１回の走査により記録される１バンドの第１ラスタまたは第１ラスタを含む複数ラスタおよび最終ラスタまたは最終ラスタを含む複数ラスタの少なくとも一方を、単位領域毎に２値化画像データの吐出ドットの集合具合により複数種類の状態に分類する手段と、これらの状態ごとに予め定められた長さのマスクパターンを格納した補正テーブルと、この補正テーブルから各単位領域の状態に応じたマスクパターンを求め、このマスクパターンにより当該単位領域内のインク吐出量を低減するよう制御することを特徴とする。
【手続補正４】
【補正対象書類名】明細書
【補正対象項目名】００１８
【補正方法】変更
【補正の内容】
【００１８】
また、バンドの第１ラスタまたは第１ラスタを含む複数ラスタおよび最終ラスタまたは最終ラスタを含む複数ラスタをドット間引きの対象とする場合、同じ間引き率のマスクパターンであっても、第１ラスタまたは第１ラスタを含む複数ラスタと最終ラスタまたは最終ラスタを含む複数ラスタとで前記マスクパターンを異ならせるようにしてもよい。
【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】駆動回路ならびにこれを用いたプリンタおよびＬＥＤヘッド
【手続補正２】
【補正対象書類名】明細書
【補正対象項目名】特許請求の範囲
【補正方法】変更
【補正の内容】
【特許請求の範囲】
【請求項１】
駆動データに従って被駆動素子群を個別に駆動する駆動出力回路群と、
外部から入力された駆動データを前記駆動出力回路群に転送する転送回路と、
前記被駆動素子群に対する駆動電流を制御するための制御電圧を生成し、この制御電圧を前記駆動出力回路群に入力する制御電圧発生回路と、
前記制御電圧発生回路を含む構成回路の静止時電流パスを遮断または短絡する切替回路と、
外部からスタンバイモード実施命令が入力されているときに、前記静止時電流パスを遮断するように、前記切替回路を制御する制御回路と
を備えた
ことを特徴とする駆動回路。
【請求項２】
前記切替回路は、スタンバイモード制御信号の論理レベルに従って前記静止時電流パスを遮断または短絡するものであり、
前記制御回路は、スタンバイモード制御信号を前記切替回路に入力することにより前記切替回路を制御する
ことを特徴とする請求項１記載の駆動回路。
【請求項３】
前記スタンバイモード制御信号が、外部から入力される
ことを特徴とする請求項２記載の駆動回路。
【請求項４】
前記スタンバイモード実施命令は、駆動データの転送タイミングを制御するために外部から入力される信号または駆動出力回路群の駆動タイミングを制御するために外部から入力される信号を含む複数の信号により通知されるものであり、
前記制御回路は、前記複数の信号の論理レベルに基づいて前記スタンバイモード制御信号を生成する
ことを特徴とする請求項２記載の駆動回路。
【請求項５】
前記制御回路は、外部から入力される信号によりカウント動作するカウンタ回路を有し、このカウンタ回路のカウント値に基づいて前記スタンバイモード制御信号を生成するものであり、
前記スタンバイモード実施命令は、前記外部から入力される信号により通知されるものである
ことを特徴とする請求項２記載の駆動回路。
【請求項６】
書き込み制御信号に従って補正データを記憶する記憶回路群をさらに備え、
前記転送回路は、外部から入力された駆動データを前記駆動出力回路群に転送するとともに、外部から入力された補正データを前記記憶回路群に転送するものであり、
前記駆動出力回路群は、前記記憶回路群に記憶された補正データに従って前記被駆動素子群に対する駆動電流を個別に調整するものであり、
前記制御回路は、前記カウント値に基づいて、前記書き込み制御信号を生成するとともに、前記スタンバイモード制御信号を生成するものである
ことを特徴とする請求項５記載の駆動回路。
【請求項７】
前記切替回路が、
カレントミラー回路の制御電流源トランジスタの静止時電流パスの途中に設けられた第１のスイッチトランジスタと、前記カレントミラー回路の制御電流源トランジスタおよび被制御電流源トランジスタに並列に設けられた第２のトランジスタとを有し、
第１のトランジスタをオフさせ、第２のトランジスタをオンさせることにより、前記カレントミラー回路の静止時電流パスを遮断する
ことを特徴とする請求項１記載の駆動回路。
【請求項８】
複数のＬＥＤを個別に駆動する
ことを特徴とする請求項１ないし７のいずれかに記載の駆動回路。
【請求項９】
ＩＣチップ化されている
ことを特徴とする請求項１ないし７のいずれかに記載の駆動回路。
【請求項１０】
請求項９記載の駆動回路を複数個備え、
前記スタンバイモード実施命令を生成し、このスタンバイモード実施命令を前記駆動回路に入力する印刷制御部を備えた
ことを特徴とするプリンタ。
【請求項１１】
ＬＥＤアレイおよびこのＬＥＤアレイを駆動する前記複数個の駆動回路とにより構成されたＬＥＤヘッドを備えた
ことを特徴とする請求項１０記載のプリンタ。
【請求項１２】
請求項８記載の駆動回路と、前記複数のＬＥＤとを備えたことを特徴とするＬＥＤヘッド。
【請求項１３】
複数のＬＥＤと、前記複数のＬＥＤを個別に駆動する請求項９記載の駆動回路とを備えたことを特徴とするＬＥＤヘッド。
【手続補正書】
【提出日】平成17年9月30日(2005.9.30)
【手続補正１】
【補正対象書類名】明細書
【補正対象項目名】０００５
【補正方法】変更
【補正の内容】
【０００５】
この種の感圧修正テープにおいては、基材がフィルム状であることに起因して、フィルム両面の離型処理が必要でコストが高くなるという問題がある。さらにフィルムは、高平滑なので転写したインク表面が光沢を有するという問題がある。すなわち該フィルムに塗設された離型剤上に塗布された隠蔽層の界面も当然の事ながら高平滑となる。この隠蔽層が紙に転写された場合、転写される紙の低平滑な表面は光沢がないのに対し転写した該隠蔽層表面が光沢を有することになるので、本来目立つべきではない修正部分が際だって見えるという問題が発生する。以下、転写された隠蔽層の表面の光沢が低いという特性を非光沢性という。
【手続補正書】
【提出日】平成17年9月9日(2005.9.9)
【手続補正１】
【補正対象書類名】明細書
【補正対象項目名】請求項１
【補正方法】変更
【補正の内容】
【請求項１】  ブレーキペダルの操作に応じて液圧源からの液圧を制御しホイールシリンダへ供給するブレーキ液圧制御システムに用いるシリンダ装置であって、前記ブレーキ液圧制御システムの失陥時に前記ホイールシリンダへ液を供給するタンデムマスタシリンダを備え、該タンデムマスタシリンダには、シリンダ本体内を摺動するプライマリピストンとセコンダリピストンとが設けられ、前記プライマリピストンと前記セコンダリピストンとの間にプライマリ圧力室が形成されるとともに前記セコンダリピストンと前記シリンダ本体との間にセコンダリ圧力室が形成されており、前記セコンダリピストンのストローク量が所定量以下の場合に前記プライマリ圧力室をリザーバへ連通させる連通手段が設けられるとともに、前記セコンダリピストンのストローク量が所定量を超える場合に前記連通手段の連通を遮断する連通遮断手段が前記セコンダリピストンに設けられていることを特徴とするブレーキ液圧制御システム用シリンダ装置。
【手続補正２】
【補正対象書類名】明細書
【補正対象項目名】０００６
【補正方法】変更
【補正の内容】
【０００６】
【課題を解決するための手段】
上記目的を達成するため、本発明は、上記ブレーキ液圧制御システム（ＢＢＷシステム）の失陥時にホイールシリンダへ液圧を供給するマスタシリンダとしてタンデムマスタシリンダを用い、該タンデムマスタシリンダには、シリンダ本体内を摺動するプライマリピストンとセコンダリピストンとが設けられ、前記プライマリピストンと前記セコンダリピストンとの間にプライマリ圧力室が形成されるとともに前記セコンダリピストンと前記シリンダ本体との間にセコンダリ圧力室が形成されており、前記セコンダリピストンのストローク量が所定量以下の場合に前記プライマリ圧力室をリザーバへ連通させる連通手段が設けられるとともに、前記セコンダリピストンのストローク量が所定量を超える場合に前記連通手段の連通を遮断する連通遮断手段が前記セコンダリピストンに設けられていることを特徴とする。
【手続補正３】
【補正対象書類名】明細書
【補正対象項目名】００１９
【補正方法】変更
【補正の内容】
【００１９】
また、第２ピストン２２の周りには環状室５７が形成されており、この環状室５７は、第２スリーブ２４に設けたポート５８，５９を通じて第２スリーブ２４の周りの前記環状室５１、環状通路４５にそれぞれ連通させられている。第２ピストン２２に保持させた上記シール部材（連通遮断手段）３２は、第２ピストン２２の後退端において、前記環状通路４５に連通するポート５９よりもわずか後方（第１圧力室３３側）となる位置に設けられており、第２ピストン２２の後退端において、第１圧力室３３内が第２スリーブ２４の周りの環状通路４５、第２スリーブ２４の一方のポート５９、第２ピストン２２の周りの環状室５７、第２スリーブ２４の他方のポート５８、第２スリーブ２４の周りの環状室５１およびシリンダ本体２０の前部側のリザーバポート５３を通じてリザーバ５２に連通する状態となる。上記の通路、室、ポートが本実施の形態における連通手段を構成している。なお、第２スリーブ２４の一方のポート５９は、その一部がオリフィス状に絞られている。
【手続補正４】
【補正対象書類名】明細書
【補正対象項目名】符号の説明
【補正方法】変更
【補正の内容】
【符号の説明】
１，１´ シリンダ装置
２ ブレーキペダル
３ 液圧制御装置
４（４Ａ，４Ｂ，４Ｃ，４Ｄ） ホイールシリンダ
５（５Ａ，５Ｂ，５Ｃ，５Ｄ） フェイルセーフ弁
８ 液圧源
９ 液圧制御弁
１０ 電子制御装置
２０ シリンダ本体
２１ 第１ピストン（プライマリピストン）
２２ 第２ピストン（セコンダリピストン）
２３，２４ スリーブ
３３ 第１圧力室（プライマリ圧力室）
３４ 第２圧力室（セコンダリ圧力室）
３７ 第１スプリング（プライマリスプリング）
４１ 第２スプリング（セコンダリスプリング）
３２ シール部材（連通遮断手段）
４５ 環状通路（連通手段）
５１，５７，７１ 環状室（連通手段）
５２ リザーバ
５３，５８，５９，７２ ポート（連通手段）
【手続補正５】
【補正対象書類名】図面
【補正対象項目名】図２
【補正方法】変更
【補正の内容】
【図２】
2000108877.tif 000001
【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
被検体頭部に光を照射する光照射手段と、
前記被検体頭部の内部を透過した光を検出する光検出手段と、
前記光検出手段により検出された光の強度を計測する光計測手段と、
前記光計測手段により計測された光の強度変化の履歴を記憶する記憶手段と、
前記光計測手段により計測された光の強度を表示する表示手段と、
前記記憶手段に記憶された前記履歴に基づき、機器制御信号を発生させる制御信号発生手段とを有し、
区分Ｂは閾値aより大きく閾値ｂ以下の区分であり、区分Ｃは閾値ｂより大きく閾値ｃ以下の区分であり、区分Ｄは閾値ｃより大きい区分であり、dはcより大きく、cはbより大きく、bはaより大きく、前記閾値aと前記閾値bの幅および、前記閾値bと前記閾値cの幅は、生体によるノイズによる変動幅より大きく、
前記制御信号発生手段は、
前記光の強度が、区分Ｂから区分Ｃ、そして区分Ｃから区分Ｄへ連続的に変化した場合に前記機器制御信号を発生させることを特徴とする機器制御装置。
【請求項２】
被検体頭部に光を照射する光照射手段と、
前記被検体頭部の内部を透過した光を検出する光検出手段と、
前記光検出手段により検出された光の強度を計測する光計測手段と、
前記光計測手段により計測された光の強度変化の履歴を記憶する記憶手段と、
前記光計測手段により計測された光の強度を表示する表示手段と、
前記記憶手段に記憶された前記履歴に基づき、機器制御信号を発生させる制御信号発生手段とを有し、
区分Ａは閾値a以下の区分であり、区分Ｂは閾値aより大きく閾値ｂ以下の区分であり、区分Ｃは閾値ｂより大きく閾値ｃ以下の区分であり、区分Ｄは閾値ｃより大きい区分であり、dはcより大きく、cはbより大きく、bはaより大きく、前記閾値aと前記閾値bの幅および、前記閾値bと前記閾値cの幅は、生体によるノイズによる変動幅より大きく、
前記制御信号発生手段は、
前記光の強度が、区分Ｂから区分Ｃ、そして区分Ｃから区分Ｄへ連続的に変化した場合に前記機器制御信号を発生させ、前記光の強度が区分Ｂから区分Ａに変化したときに前記制御信号発生手段の制御状態を解除することを特徴とする機器制御装置。
【請求項３】
前記表示手段は前記制御信号発生手段の制御状態を表示することを特徴とする請求項１または２記載の機器制御装置。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
第１のメモリセルと第２のメモリセルを有し、前記第１のメモリセルへのデータの書込みを制御する配線と接続された第１の接続端子と、前記第２のメモリセルへの前記データの書込みまたは消去を制御する配線と接続された第２の接続端子とを有する半導体素子と、
前記第１の接続端子と接続され、前記第２の接続端子とは電気的に独立に配設された外部接続端子と、
前記半導体素子が内部に封止され、かつ前記外部接続端子が外部に導出されるように前記半導体素子と前記外部接続端子とを保持する手段と、
を具備したことを特徴とする半導体装置。
【請求項２】
第１のメモリセルと第２のメモリセルを有し、前記第１のメモリセルへのデータの書込みを制御する配線と接続された第１の接続端子と、前記第２のメモリセルへの前記データの書込みまたは消去を制御する配線と接続された第２の接続端子とを有する半導体素子と、
前記第１の接続端子と接続され、前記第２の接続端子とは電気的に独立に配設された外部接続端子と、
前記半導体素子が内部に封止され、かつ前記外部接続端子が表面に露出するように前記半導体素子と前記外部接続端子とを保持する手段と、
を具備したことを特徴とするデータ記憶メディア。
【請求項３】
第１の面と第２の面とを有する配線基板と、
前記配線基板の前記第１の面に搭載され、第１のメモリセルと第２のメモリセルを有し、前記第１のメモリセルへのデータの書込みを制御する配線と接続された第１の接続端子と、前記第２のメモリセルへの前記データの書込みまたは消去を制御する配線と接続された第２の接続端子とを有する半導体素子と、
前記配線基板の前記第２の面に配設され、前記第１の接続端子と接続され、前記第２の接続端子とは電気的に独立に配設された外部接続端子と、
前記半導体素子を封止するように前記配線基板の前記第２の面と前記半導体素子を覆って配設された封止樹脂と
を具備したことを特徴とするデータ記憶メディア。
【請求項４】
第１の面と第２の面とを有する配線基板と、前記配線基板の前記第１の面に搭載され、第１のメモリセルと第２のメモリセルを有し、前記第１のメモリセルへのデータの書込みまたは消去を制御する配線と接続された第１の接続端子と、前記第２のメモリセルへの前記データの書込みまたは消去を制御する配線と接続された第２の接続端子とを有する半導体素子と、前記配線基板の前記第２の面に配設され、前記第１の接続端子と接続され、前記第２の接続端子とは電気的に独立に配設された外部接続端子と、前記半導体素子を封止するように前記配線基板の前記第２の面と前記半導体素子を覆って配設された封止手段とを有するモジュールと、
前記外部接続端子が表面に露出するように前記モジュールを保持する凹部を有するカード型の保持部材と、
を具備したことを特徴とするデータ記憶メディア。
【請求項５】
識別情報を有する半導体メモリ素子を備えたデータ記憶メディアにデータを記録するデータ記録装置において、
前記データ記憶メディアを保持する手段と、
前記半導体メモリ素子から前記識別情報を獲得する手段と、
第１の符号を保持する手段と、
前記第１の符号と獲得した前記識別情報とに基づいて第２の符号を生成する手段と、
前記データを前記第２の符号に基づいてエンコードする手段と、
エンコードした前記データを前記半導体メモリ素子に書き込む手段と、
を具備したことを特徴とするデータ記録装置。
【請求項６】
識別情報を有する半導体メモリ素子を備えたデータ記憶メディアからデータを読み出すデータ読出装置において、
前記半導体メディアを保持する手段と、
前記半導体メモリ素子から前記識別情報を獲得する手段と、
第１の符号を保持する手段と、
前記第１の符号と獲得した前記識別情報とに基づいて第２の符号を生成する手段と、
前記半導体メモリ素子から前記データを読み出す手段と、
読み出した前記データを前記第２の符号によりデコードする手段と、
を具備したことを特徴とするデータ読出装置。
【請求項７】
複数の素子領域を有するウエハの前記素子領域に、データの書込みまたは消去を制御する配線と接続された複数の接続端子と、前記データを保持可能な第１の領域と第２の領域とを有する半導体メモリ素子を形成する工程と、
前記半導体メモリ素子の第２の領域に前記半導体素子の識別情報を書き込む工程と、
外部接続端子が外部に導出、あるいは表面や側面に露出するとともに、この外部接続端子と前記半導体メモリ素子の前記第１の領域の前記データの書込みまたは消去を制御する前記配線とが接続され、前記の前記半導体メモリ素子の前記第２の領域の前記データの書込みまたは消去を制御する前記配線と接続された前記接続端子が前記外部接続端子と電気的に独立になるように前記半導体メモリ素子を封止する工程と、
を有することを特徴とする半導体装置の製造方法。
【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
消耗材が入っており且つ少なくとも一つの可動部分を有する交換可能なカートリッジを備えた装置内で、カートリッジからの消耗材の使用量を推定する推定装置であって、
前記カートリッジの可動部分に固定された情報記憶媒体と、
前記情報記憶媒体に近接して前記装置に取付けられ、情報を、前記情報記憶媒体に書込み、前記情報記憶媒体から読出すように構成されている読取り・書込みヘッドと
を備えて成る推定装置。
【請求項２】
前記記憶媒体が磁気記憶媒体から成る、請求項１に記載の推定装置。
【請求項３】
前記磁気記憶媒体が環状円板を備えて成る、請求項１又は２のいずれかに記載の推定装置。
【請求項４】
前記可動部分が駆動歯車を備えたほぼ円筒状のローラ・アセンブリを備えて成る、請求項１〜３のいずれかに記載の推定装置。
【請求項５】
前記ほぼ円筒状のローラ・アセンブリの駆動歯車が端面を備え、前記記憶媒体が前記駆動歯車の端面に固定されている、請求項１〜４のいずれかに記載の推定装置。
【請求項６】
前記装置がレーザ・プリンタを備えている、請求項１〜５のいずれかに記載の推定装置。
【請求項７】
前記カートリッジがトナー・カートリッジを備え、前記消耗材がトナーから成る、請求項１〜６のいずれかに記載の推定装置。
【請求項８】
前記ローラ・アセンブリがＯＰＣローラを備えている、請求項１〜７のいずれかに記載の推定装置。
【請求項９】
前記記憶媒体と前記読取り・書込みヘッドとの間に間挿されたフェルト・ワイパーをさらに備えて成る請求項１〜８のいずれかに記載の推定装置。
【請求項１０】
消耗材が入っており且つ少なくとも一つの可動部分を有する交換可能なカートリッジを備えた装置内で、前記カートリッジからの消耗材の使用量を推定する方法であって、
情報記憶媒体を前記カートリッジの可動部分に固定するステップと、
読取り・書込みヘッドを前記情報記憶媒体に近接して前記装置に取付けるステップと、
前記装置の動作に応答して前記読取り・書込みヘッドを作動させ、前記情報記憶媒体にカートリッジの使用情報を書込み、前記情報記憶媒体からカートリッジの使用情報を読取るステップと
を備えて成る方法。
【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
文字コード列からなる文章情報を行単位に分割して表示装置に表示するための文章表示方法において、
行末に配置される第一の文字の文字種と該第一の文字に続く第二の文字の文字種とを比較し、第一の文字の文字種と第二の文字の文字種とが異なる場合には第二の文字を次行に配置し、第一の文字の文字種と第二の文字の文字種とが一致する場合には第二の文字を第一の文字に引き続いて同一行に表示することを特徴とする文章表示方法。
【請求項２】
前記文字種として漢字、カタカナ、英字、数字を用いることを特徴とする請求項１記載の文章表示方法。
【請求項３】
前記表示装置が情報携帯端末装置の表示装置であることを特徴とする請求項１記載の文章表示方法。
【手続補正２】
【補正対象書類名】明細書
【補正対象項目名】０００７
【補正方法】変更
【補正の内容】
【０００７】
【課題を解決するための手段】
上述の問題を解決するため、本発明は文字コード列からなる文章情報を行単位に分割して表示装置に表示するための文章表示方法において、行末に配置される第一の文字の文字種と該第一の文字に続く第二の文字の文字種とを比較し、第一の文字の文字種と第二の文字の文字種とが異なる場合には第二の文字を次行に配置し、第一の文字の文字種と第二の文字の文字種とが一致する場合には第二の文字を第一の文字に引き続いて同一行に表示することを特徴とする文章表示方法である。
【手続補正書】
【提出日】平成17年11月4日(2005.11.4)
【手続補正１】
【補正対象書類名】明細書
【補正対象項目名】００３９
【補正方法】変更
【補正の内容】
【００３９】
第二機能(5)に関してであるが、例えば、“メニューバー（＋ツールバー）”が“コンテンツ表示部”の背後にあり、“メニューバー（＋ツールバー）”の一部分だけが画面上に顔を出しているような状況を想定せよ。この場合、顔を出している“メニューバー（＋ツールバー）”の一部をタッチすると、“メニューバー（＋ツールバー）”が自動的に“画面の最前部”に移動する。しかも、タッチの部位次第で、個別メニューの“コマンド一覧表”が同時に開かれるように設計する。
【手続補正書】
【提出日】平成17年8月22日(2005.8.22)
【手続補正１】
【補正対象書類名】明細書
【補正対象項目名】請求項３
【補正方法】変更
【補正の内容】
【請求項３】
前記判別値ｉは、ｎが偶数のとき（１／２）ｎ＋１であり、ｎが奇数のとき（１／２）ｎを越える最小の整数である請求項２記載の復号化装置。
【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】光コネクタ及び光コネクタの製造方法
【手続補正２】
【補正対象書類名】明細書
【補正対象項目名】特許請求の範囲
【補正方法】変更
【補正の内容】
【特許請求の範囲】
【請求項１】
かん合穴１８を有し、当該かん合穴１８に位置合わせ用のガイドピンを挿入して結合する方式の樹脂製の光コネクタであって、かつ前記かん合穴１８がセラミックスリーブ２０によりライニングされているものにおいて、
前記セラミックスリーブ２０には割り２２が設けられ、
前記セラミックスリーブ２０の当初の内径が、前記かん合穴用の成形ピン３８よりも幾分か小径であることを特徴とする、光コネクタ。
【請求項２】
かん合穴（１８）を有し、当該かん合穴に位置合わせ用のガイドピンを挿入して結合する方式の樹脂製の光コネクタであって、
前記かん合穴をライニングするセラミックスリーブ（２０）を有し、
前記セラミックスリーブには、該セラミックスリーブの一方の端から他方の端まで連続して形成される狭い隙間である割り（２２）が設けられていることを特徴とする光コネクタ。
【請求項３】
前記セラミックスリーブは円筒状であり、前記割りは、前記セラミックスリーブの母線に対して斜めに設けられていることを特徴とする請求項１又は２記載の光コネクタ。
【請求項４】
前記割りが、セラミックスリーブの一方の端から他方の端まで連続する曲線状に形成されていることを特徴とする請求項１又は２記載の光コネクタ。
【請求項５】
前記光コネクタを形成する樹脂を前記割りに入り込ませたことにより前記セラミックスリーブの内径を固定してあることを特徴とする請求項１〜４のいずれかに記載の光コネクタ。
【請求項６】
かん合穴（１８）を有し、当該かん合穴（１８）に位置合わせ用のガイドピンを挿入して結合する方式の樹脂製の光コネクタを製造する方法であって、
前記かん合穴用の成形ピン（３８）に、割り（２２）によって拡縮径が可能であり前記成形ピン径よりも幾分か小径のセラミックスリーブ（２０）を押し込んで外填めし、前記成形ピンを通した前記セラミックスリーブを金型に装着して前記光コネクタをインサート成形し、その後前記成形ピンを抜き取って、前記セラミックスリーブでライニングされたかん合穴を有する光コネクタを得ることを特徴とする光コネクタの製造方法。
【請求項７】
光コネクタをインサート成形する際に、前記割りに、前記光コネクタを形成する樹脂を入り込ませて前記セラミックスリーブの内径を固定し、その後前記成形ピンを抜き取ることを特徴とする請求項６記載の光コネクタの製造方法。
【手続補正３】
【補正対象書類名】明細書
【補正対象項目名】０００１
【補正方法】変更
【補正の内容】
【０００１】
【発明の属する技術分野】
この発明は、かん合穴を有しその中に位置合わせ用のガイドピンを挿入して結合する方式の光コネクタに関するもので、特に前記かん合穴をセラミックスリーブによりライニングしたマスタコネクタ、並びに、光コネクタの製造方法に関するものである。